(57)【特許請求の範囲】
【請求項１】
断面略正方形で磁石が磁着可能な金属支柱と、
前記金属支柱の側面の両端から所定の距離Ｌの位置に形成された保持孔と、
側面に磁石が埋設されたパネル部と、
前記パネル部の側面から突出した保持ピンと、を有し、
前記パネル部の磁石が前記金属支柱の側面に磁着し、かつ、前記パネル部の保持ピンが前記金属支柱の保持孔に嵌入することで、金属支柱とパネル部とが接続する組立式パーティションであって、
前記磁石が、前記パネル部の枠体外面に穿かれた凹部に前記磁石の外面が略面一となるように固定され、前記磁石の外面は前記パネル部の枠体外面とともに外装部材で覆われることを特徴とする組立式パーティション。
【請求項２】
保持ピンが、パネル部の長辺及び短辺の両端から距離Ｌの位置にそれぞれ形成され、
パネル部の短辺の保持ピン間の距離をＷとした時に、
前記金属支柱の下側の保持孔から距離Ｗの位置に補助保持孔を有することを特徴とする請求項１記載の組立式パーティション。
【請求項３】
中央に設けられた金属支柱嵌入口と、前記金属支柱嵌入口から延びた挟持プレートと、を有し、
前記挟持プレートは、下に凹の断面コ字形状を呈するとともに両側壁の内寸がパネル部の厚み寸法と略同等であり、さらに、前記挟持プレートの上面には前記保持ピンが嵌入するプレート保持孔を有し、
前記金属支柱とパネル部とを接続した状態で、前記パネル部を前記挟持プレートに嵌入し、前記パネル部の保持ピンを前記プレート保持孔に挿入することで前記金属支柱とパネル部との接続を補強する上面視Ｌ字もしくはＴ字もしくは十字の補強プレートをさらに有することを特徴とする請求項１または請求項２に記載の組立式パーティション。
【発明の詳細な説明】
【技術分野】
【０００１】
本発明は、組立て及び分解が可能な組立式パーティションに関するものである。
【背景技術】
【０００２】
従来から、催事場や展示会等で組立式パーティションが多く使用されている。また、近年では自然災害時等に避難所が設立される場合も多く、組立式パーティションはこのような避難所におけるプライバシー保護のためにも利用されている。そして、このような組立式パーティションに関し、下記［特許文献１］には組立てが比較的簡単な「隔壁パネルの連結装置」に関する発明が開示されている。
【先行技術文献】
【特許文献】
【０００３】
【特許文献１】特開２０００−１２９８２７号公報
【発明の概要】
【発明が解決しようとする課題】
【０００４】
しかしながら、［特許文献１］に記載の発明は、パネルを持ち上げて鉤状片を嵌合孔に嵌め込む必要があることに加え、パーティションをＬ字やＴ字、十字等に構築する場合には部材や方向にある程度の制限がある。
【０００５】
本発明は上記事情に鑑みてなされたものであり、組立て及び分解が簡単で且つＬ字やＴ字、十字方向への接続も容易な組立式パーティションを提供することを目的とする。
【課題を解決するための手段】
【０００６】
本発明は、
（１）断面略正方形で磁石が磁着可能な金属支柱３０と、前記金属支柱３０の側面の両端から所定の距離Ｌの位置に形成された保持孔３２と、側面に磁石５４が埋設されたパネル部５０と、前記パネル部５０の側面から突出した保持ピン５２と、を有し、
前記パネル部５０の磁石５４が前記金属支柱３０の側面に磁着し、かつ、前記パネル部５０の保持ピン５２が前記金属支柱３０の保持孔３２に嵌入することで、金属支柱３０とパネル部５０とが接続する組立式パーティションであって、
前記磁石５４が、前記パネル部５０の枠体４０外面に穿かれた凹部４６に前記磁石５４の外面が略面一となるように固定され、前記磁石５４の外面は前記パネル部５０の枠体４０外面とともに外装部材４４で覆われることを特徴とする組立式パーティション８０を提供することにより、上記課題を解決する。
（２）保持ピン５２が、パネル部５０の長辺及び短辺の両端から距離Ｌの位置にそれぞれ形成され、パネル部５０の短辺の保持ピン５２間の距離をＷとした時に、前記金属支柱３０の下側の保持孔３２から距離Ｗの位置に補助保持孔３２’を有することを特徴とする上記（１）記載の組立式パーティション８０を提供することにより、上記課題を解決する。
（３）中央に設けられた金属支柱嵌入口６２と、前記金属支柱嵌入口６２から延びた挟持プレート６４と、を有し、
前記挟持プレート６４は、下に凹の断面コ字形状を呈するとともに両側壁の内寸Ｄがパネル部５０の厚み寸法と略同等であり、さらに、前記挟持プレート６４の上面には前記保持ピン５２が嵌入するプレート保持孔６６を有し、
前記金属支柱３０とパネル部５０とを接続した状態で、前記パネル部５０を前記挟持プレート６４に嵌入し、前記パネル部５０の保持ピン５２を前記プレート保持孔６６に挿入することで前記金属支柱３０とパネル部５０との接続を補強する上面視Ｌ字もしくはＴ字もしくは十字の補強プレート６０ａ、６０ｂ、６０ｃをさらに有することを特徴とする上記（１）または（２）に記載の組立式パーティション８０を提供することにより、上記課題を解決する。
【発明の効果】
【０００７】
本発明に係る組立式パーティションは、金属支柱とパネル部との結合をパネル部に埋設した磁石によって行う。また、金属支柱側の保持孔とパネル部側の保持ピンとを嵌合することで、パネル部の位置決めと上下方向へのズレを防止する。これにより、金属支柱とパネル部との結合を極めて容易に行うことができる。また、金属支柱は４つの側面全てに保持孔を有しているため、直線方向は基より、Ｌ字、Ｔ字、十字方向にパネル部を簡単に結合することができる。これにより、本発明に係る組立式パーティションは、極めて簡単かつ容易に様々な形態のパーティションを構築することができる。さらに、磁石はパネル部内に埋設され外からは見えないため、パネル部の側面がスッキリとし優れた美観を有する。
【図面の簡単な説明】
【０００８】
【図１】本発明に係る組立式パーティションの金属支柱を示す図である。
【図２】本発明に係る組立式パーティションの第２の形態の金属支柱を示す図である。
【図３】本発明に係る組立式パーティションのパネル部を示す図である。
【図４】本発明に係る組立式パーティションのパネル部の内部構造を示す図である。
【図５】本発明に係る組立式パーティションの構築例を示す図である。
【図６】本発明に係る組立式パーティションの構築例を示す図である。
【図７】本発明に係る組立式パーティションの補強プレートを示す図である。
【図８】本発明に係る組立式パーティションの補強プレートの使用例を示す図である。
【発明を実施するための形態】
【０００９】
本発明に係る組立式パーティションの実施の形態について図面に基づいて説明する。ここで、図１（ａ）は本発明に係る組立式パーティション８０の金属支柱３０の三面図である。この図１（ａ）に示す組立式パーティション８０の金属支柱３０は、断面略正方形で磁石が磁着可能な角パイプ等の金属部材で構成され、側面の上下の両端から所定の距離Ｌの位置に保持孔３２を有している。尚、この保持孔３２は基本的に金属支柱３０の４つの側面全てに形成する。また、金属支柱３０の長さには特に限定は無いが、一般的な寸法規格である１２００ｍｍ、１８００ｍｍ、２４００ｍｍ等とすることが好ましい。また、距離Ｌにも特に限定は無いが金属支柱３０の長さに関わらず一定とすることが好ましく。本例では７０ｍｍとしている。
【００１０】
また、金属支柱３０の上端には、キャップ２２や図１（ｂ）に示す突っ張り継手２６を接続することができる。尚、突っ張り継手２６は所定の長さを有するとともに上端にアジャスタ２８を備えており、後述の下端側のアジャスタ２４とともに、金属支柱３０を床と天井とで押圧して固定するものである。また、金属支柱３０の下端にはアジャスタ２４やゴム脚キャップ、また図１（ｃ）に示すキャスタ２９等を使用用途に応じて適宜接続することができる。
【００１１】
次に、第２の形態の金属支柱３０の例を図２に示す。ここで、図２（ａ）は第２の形態の金属支柱３０の三面図である。この第２の形態の金属支柱３０は、図２（ａ）に示すように、縦フレーム３０ａと、この縦フレーム３０ａの下端側にＴ字に接続した脚フレーム３０ｂとを有している。そして、第２の形態の金属支柱３０では、脚フレーム３０ｂを含めた金属支柱３０の両端から距離Ｌの位置に保持孔３２を有している。尚、第２の形態の金属支柱３０では、脚フレーム３０ｂが突出するＴ字方向側の側面には保持孔３２を設けなくとも良い。そして、第２の形態の金属支柱３０の上端には、図１に示す金属支柱３０と同様に、キャップ２２や突っ張り継手２６を接続することができる。また、脚フレーム３０ｂの下面には、図２（ｂ）、（ｃ）に示すように、アジャスタ２４やキャスタ２９等を使用用途に応じて適宜接続することができる。
【００１２】
次に、本発明に係る組立式パーティション８０のパネル部５０の構成を説明する。ここで、図３はパネル部５０の三面図である。図３に示すパネル部５０は、パネル本体部５０ａと、このパネル本体部５０ａの側面に埋設された磁石５４と、パネル本体部５０ａの側面から突出した保持ピン５２と、を有している。パネル部５０に用いる磁石５４の種類に関しては特に限定は無いが、磁力の強いものが好ましく、ネオジム磁石等の希土類磁石を用いることが特に好ましい。また、磁石５４の磁力、個数はパネル部５０が保持可能であれば特に限定は無いが、金属支柱３０に磁着する辺（磁着辺）の長さ１００ｍｍに対して磁石５４の吸着力（磁着力）を１．５ｋｇｆ〜２．０ｋｇｆ程度とすることが好ましい。尚、吸着力が１．５ｋｇｆに満たない場合にはパネル部５０の保持に対する信頼性が低下し、２．０ｋｇｆを超えた場合には磁石５４が過剰となって無用な部品コストの増大を招く。尚、本例では表面磁束密度が２００ｍＴ〜２１０ｍＴで外形寸法が３５ｍｍ×２０ｍｍ×５ｍｍ、吸着力が約９．６ｋｇｆのネオジム磁石を用いており、この場合、長さ６００ｍｍの磁着辺では磁石５４を１〜２個、９００ｍｍ、１２００ｍｍでは２個、１８００ｍｍでは３個、２４００ｍｍでは４個設けることが好ましい。また、磁石５４の設置場所に関しては特に限定は無いが、保持ピン５２及び後述の補助保持ピン５２’の近傍にそれぞれ設置することが好ましい。また、保持ピン５２、補助保持ピン５２’はパネル本体部５０ａに対し着脱可能とすることが好ましい。この構成によれば、例えば床面側の不要な保持ピン５２、補助保持ピン５２’を取り外すことで、パネル部５０を床に接触した状態でパーティションを構築することができる。
【００１３】
パネル本体部５０ａの寸法は、少なくとも縦寸法、横寸法のいずれかが金属支柱３０の長さに準じたものとする。よって、例えば、金属支柱３０の長さ（Ｌ’＋２Ｌ）が１２００ｍｍ、１８００ｍｍ、２４００ｍｍの場合には、１２００ｍｍ×１８００ｍｍ、２４００ｍｍ×９００ｍｍ、１８００×９００ｍｍ等とすることが好ましい。そして、保持ピン５２は、少なくとも金属支柱３０が接続する辺の両端から距離Ｌの位置にそれぞれ設ける。よって、この辺における保持ピン５２間の距離Ｌ’は保持孔３２間の距離Ｌ’と等しくなる。また、保持ピン５２は金属支柱３０が接続する辺のみならず、全ての辺、即ちパネル本体部５０ａの長辺及び短辺の両端から距離Ｌの位置にそれぞれ設けることが好ましい。
【００１４】
次に、パネル部５０の内部構造を図４を用いて説明する。パネル部５０のパネル本体部５０ａは、例えば軽量ＬＶＬ等の周知の単板積層材、集成材、その他の木材等で作製された枠体４０と、この枠体４０の両面に張るパネル材４２と、枠体４０の外面を覆う周知の外装部材４４と、を有している。尚、パネル材４２は周知の化粧合板等を用いることができる。また、磁石が付くマグネットボード材をパネル材４２に用いれば、パネル部５０に掲示物等を磁石で貼着することができる。
【００１５】
そして、パネル部５０の磁石５４は枠体４０の外面に凹部４６を穿き、この凹部４６内に挿入して固定する。このとき、凹部４６の深さと磁石５４の奥行とを略同等とし、磁石５４の外面と枠体４０の外面とを略面一とする。そして、磁石５４の外面を枠体４０の外面とともに外装部材４４で覆う。ここで用いる外装部材４４としては、厚み１ｍｍ前後の木口テープを用いることが特に好ましい。このように、枠体４０に凹部４６を穿き、磁石５４を凹部４６内に外面が略面一となるように収容し、磁石５４の外面を枠体４０外面とともに外装部材４４で覆うことで磁石５４の痕跡が外側からは見えず、優れたデザイン性と美観とを有することができる。
【００１６】
そして、本発明に係る組立式パーティション８０は、図５に示すように、金属支柱３０の保持孔３２にパネル部５０の保持ピン５２を嵌入した上で、パネル部５０の磁石５４が金属支柱３０に磁着することで、金属支柱３０とパネル部５０とが結合する。そして、これらを適宜連結していくことで、要求される形態のパーティションが構築される。尚、金属支柱３０は基本的に４面に保持孔３２を備えているため、金属支柱３０を中心に最大４枚のパネル部５０を十字方向に結合することができる。これにより、本発明に係る組立式パーティション８０は、極めて簡単かつ容易に様々な形態のパーティションを構築することができる。
【００１７】
また、本発明に係る組立式パーティション８０は、以下の構成を備えることが好ましい。先ず、この構成では図３に示すように、パネル部５０の長辺及び短辺の両端から距離Ｌの位置にそれぞれ保持ピン５２を設ける。このとき、短辺側の保持ピン５２間の距離をＷとする。そして、図１、図２に示すように、金属支柱３０の下側の保持孔３２から距離Ｗの位置に補助保持孔３２’を設ける。この構成によれば、図６に示すように、パネル部５０の短辺側の保持ピン５２を金属支柱３０の下側の保持孔３２と補助保持孔３２’とに嵌入することで、金属支柱３０をそのまま流用しながらパネル部５０を横方向にしてパーティションを構築することができる。これにより、組立式パーティション８０の応用性をさらに向上させることができる。尚、この構成ではパネル部５０の側にも、長辺の下側の保持ピン５２から距離Ｗの位置に補助保持ピン５２’を設け、パネル部５０を縦長で使用する場合には補助保持ピン５２’を補助保持孔３２’に嵌入しパネル部５０の保持に使用することが好ましい。
【００１８】
また、本発明に係る組立式パーティション８０は、図７に示す補強プレート６０ａ〜６０ｃを有していても良い。この補強プレート６０ａ〜６０ｃは、中央に設けられた金属支柱嵌入口６２と、この金属支柱嵌入口６２から横方向に延びた挟持プレート６４と、を有している。尚、図７（ａ）は、挟持プレート６４が金属支柱嵌入口６２から４方向に延びた上面視十字の補強プレート６０ａを示している。また、図７（ｂ）は、挟持プレート６４が金属支柱嵌入口６２から３方向に延びた上面視Ｔ字の補強プレート６０ｂを示している。また、図７（ｃ）は、挟持プレート６４が金属支柱嵌入口６２から９０°のなす角で２方向に延びた上面視Ｌ字の補強プレート６０ｃを示している。そして、挟持プレート６４は下に凹の断面コ字形状を呈しており、両側壁の内寸Ｄがパネル部５０の厚み寸法と略同等となっている。また、挟持プレート６４の上面にはパネル部５０の保持ピン５２が嵌入するプレート保持孔６６を有している。尚、プレート保持孔６６は金属支柱嵌入口６２の端点から距離Ｌの位置に設ける。
【００１９】
そして、補強プレート６０ａ〜６０ｃは、図８に示すように、金属支柱３０とパネル部５０とを接続した後、その接続部分に上から被せる形で設置する。尚、図８では補強プレート６０ｂを例に用いているが、補強プレート６０ａ、６０ｃも全く同様である。このとき、補強プレート６０ａ〜６０ｃの挟持プレート６４にはパネル部５０が挿入されるとともにパネル部５０の保持ピン５２がプレート保持孔６６に嵌入する。また、金属支柱３０は金属支柱嵌入口６２に嵌入する。尚、図８（ｂ）に示すように、金属支柱３０が長い場合や突っ張り継手２６を設けた場合でも、これら金属支柱３０、突っ張り継手２６は金属支柱嵌入口６２を通って上側に露出する。従って、補強プレート６０ａ〜６０ｃは金属支柱３０側の長さに寄らず設置が可能である。そして、この補強プレート６０ａ〜６０ｃが設置されることでパネル部５０の保持ピン５２がプレート保持孔６６に嵌入し、パネル部５０の抜け落ちを防止することができる。また、パネル部５０と金属支柱３０とを歪みなく結合することができる。これにより、金属支柱３０とパネル部５０との結合をさらに強固に行うことができる。
【００２０】
以上のように、本発明に係る組立式パーティション８０は、金属支柱３０とパネル部５０との結合をパネル部５０に埋設した磁石５４によって行う。また、金属支柱３０側の保持孔３２とパネル部５０側の保持ピン５２とを嵌合することで、パネル部５０の位置決めと上下方向へのズレを防止する。これにより、金属支柱３０とパネル部５０との結合を極めて容易に行うことができる。また、金属支柱３０は４つの側面全てに保持孔３２を有しているため、直線方向は基より、Ｌ字、Ｔ字、十字方向にパネル部５０を簡単に結合することができる。これにより、本発明に係る組立式パーティション８０は、極めて簡単かつ容易に様々な形態のパーティションを構築することができる。このとき、磁石５４はパネル部５０内に埋設され外からは見えないため、パネル部５０の側面がスッキリとし優れた美観を有する。
【００２１】
さらに、本発明に係る組立式パーティション８０は、パネル部５０の４辺の全ての両端から距離Ｌの位置にそれぞれ保持ピン５２を設け、金属支柱３０の下側の保持孔３２から短辺側の保持ピン５２間の距離Ｗの位置に補助保持孔３２’を設けることで、パネル部５０を横方向にして金属支柱３０に結合することができる。これにより、さらに多様なパーティションを構築することができる。
【００２２】
またさらに、本発明に係る組立式パーティション８０は、補強プレート６０ａ〜６０ｃを設置することで金属支柱３０とパネル部５０との結合をさらに強固に行うことができる。
【００２３】
尚、本例で示した組立式パーティション８０の構成は一例であり、各部の寸法、形状、デザイン、使用部材等は上記の例に限定されるわけではなく、本発明は本発明の要旨を逸脱しない範囲で変更して実施することが可能である。
【符号の説明】
【００２４】
３０    金属支柱
３２    保持孔
３２’  補助保持孔
４０    枠体
４４    外装部材
４６    凹部
５０    パネル部
５２    保持ピン
５４    磁石
６０ａ、６０ｂ、６０ｃ  補強プレート
６２    金属支柱嵌入口
６４    挟持プレート
６６    プレート保持孔
８０    組立式パーティション
【図１】
0006717449.tif 000002
【図２】
0006717449.tif 000003
【図３】
0006717449.tif 000004
【図４】
0006717449.tif 000005
【図５】
0006717449.tif 000006
【図６】
0006717449.tif 000007
【図７】
0006717449.tif 000008
【図８】
0006717449.tif 000009